(57)【要約】      （修正有）【課題】ディスク駆動装置に用いられるモータの寸法を小さくし、組立性を向上させる。【解決手段】有蓋略円筒形状のロータホルダ、ロータマグネット、および、ディスクを保持する保持部およびディスクを載置可能な載置面、を有する回転部と、前記ロータホルダの径方向内側にステータを保持する、静止部と、前記静止部が取り付けられる平面視において略三角形状であり、第１の辺、第２の辺、第３の辺を有する取付板４２と、前記取付板４２上に配置され、平面視において前記取付板４２に略沿った形状である回路基板４３と、を備え、前記取付板４２において、前記第１の辺、前記第２の辺、前記第３の辺の順に長く、前記第１の辺には円弧部が形成され、前記回路基板４３において、前記第2の辺近傍には前記第2の辺に沿って延びるメインコネクタ９０が配置され、前記第3の辺と前記第1の辺のなす角の近傍には２口の第３のコネクタ９２が配置される。【選択図】図２
2012249408.tif 000002
【特許請求の範囲】
【請求項１】
ディスク駆動装置に用いられるモータであって、
回転中心軸を中心に回転可能であり、有蓋略円筒形状のロータホルダ、前記ロータホルダの円筒部内側に保持されるロータマグネット、および、ディスクを保持する保持部およびディスクを載置可能な載置面、を有する回転部と、
前記回転部を回転可能に支持する軸受部と、
前記軸受部、および、モータの回転磁場を発生する巻線を有し、前記ロータホルダの径方向内側にステータを保持する、静止部と、
前記静止部が取り付けられる平面視において略三角形状であり、第１の辺、第２の辺、第３の辺を有する取付板４２と、
前記取付板４２上に配置され、電源から前記巻線へ電力を供給するパターンを有し、平面視において前記取付板４２に略沿った形状である回路基板と、を備え、
前記取付板４２において、
前記第１の辺、前記第２の辺、前記第３の辺の順に長く、
前記第１の辺には円弧部が形成され、
前記回路基板において、
前記第２の辺近傍には前記第２の辺に沿って延びるメインコネクタが配置され、
前記第３の辺と前記第１の辺のなす角の近傍にはコネクタが配置され、
前記コネクタは２口コネクタである、モータ。
【請求項２】
ディスク駆動装置であって、
筐体と、トレイと、を備え、
前記トレイは、請求項１に記載のモータと、光ピックアップとを備えるピックアップモジュールを備える、ディスク駆動装置。
【発明の詳細な説明】
【技術分野】
【０００１】
本発明は、モータおよびモータを搭載したディスク駆動装置に関する。
【背景技術】
【０００２】
ディスク駆動装置に搭載されるモータにおいては、組立工数の削減、部材の使用量の削減、省スペース化が強く要求されている。ディスク駆動装置に搭載されるモータにおいては、従来は、特許文献１に記載のようなモータが適用されていた。
【特許文献１】特開２００６−２５２６５３号公報
【発明の概要】
【発明が解決しようとする課題】
【０００３】
しかし、特許文献１の構成では、ＦＰＣ１０ｃの大きさが大きくなりすぎ、部材の使用量の削減、省スペース化ができない。
【課題を解決するための手段】
【０００４】
本願の第１の発明は、ディスク駆動装置に用いられるモータであって、回転中心軸を中心に回転可能であり、有蓋略円筒形状のロータホルダ、前記ロータホルダの円筒部内側に保持されるロータマグネット、および、ディスクを保持する保持部およびディスクを載置可能な載置面、を有する回転部と、前記回転部を回転可能に支持する軸受部と、前記軸受部、および、モータの回転磁場を発生する巻線を有し、前記ロータホルダの径方向内側にステータを保持する、静止部と、前記静止部が取り付けられる平面視において略三角形状であり、第１の辺、第２の辺、第３の辺を有する取付板４２と、前記取付板４２上に配置され、電源から前記巻線へ電力を供給するパターンを有し、平面視において前記取付板４２に略沿った形状である回路基板と、を備え、前記取付板４２において、前記第１の辺、前記第２の辺、前記第３の辺の順に長く、前記第１の辺には円弧部が形成され、前記回路基板において、前記第２の辺近傍には前記第２の辺に沿って延びるメインコネクタが配置され、前記第３の辺と前記第１の辺のなす角の近傍にはコネクタが配置され、前記コネクタは２口コネクタである、モータである。
【発明の効果】
【０００５】
本発明によれば、安価で組立性に優れたモータを提供することができる。
【図面の簡単な説明】
【０００６】
【図１】図１は、本発明の１の実施形態の光ディスク駆動装置の斜視図である。
【図２】図２は、本発明の１の実施形態のモータの背面図である。
【発明を実施するための形態】
【０００７】
本明細書では、モータの中心軸方向における上側を単に「上側」と呼び、下側を単に「下側」と呼ぶ。本発明の説明における上下方向は、実際の機器に組み込まれたときの位置関係や方向を示すものではない。また、中心軸を中心とする径方向を単に「径方向」と呼び、中心軸を中心とする周方向を単に「周方向」と呼ぶ。
【０００８】
図１は、光ディスク駆動装置の斜視図である。
【０００９】
図１を参照して、光ディスク駆動装置１には筐体２及びトレイ３がある。図１は筐体２からトレイ３を引き出した状態を示している。筐体２は天部２ａと底部２ｂから構成されている。トレイ３にはピックアップモジュール４が設けられている。ピックアップモジュール４には光学系を構成した光ピックアップ５とディスクを回転させるモータ４１及び制御回路の少なくとも一部を構成する回路基板４３が構成されている。モータ４１にはディスク装着部４ｂがあり、ディスクを装着し回転駆動させる。
【００１０】
トレイ３の両側部にはレール部６がある。両側部のレール部６は共に筐体２両側部内面に設けられたレールガイド８とディスク引き出し方向に摺動自在に嵌合している。レール部６によって、トレイ３は筐体２からディスクが着脱できるよう引き出すことが出来る。トレイ３の引き出し側の側部にはベゼル１１が装着されている。トレイ収納時においてはベゼル１１が筐体２の開口部２ｃを塞ぐように構成されている。またトレイ３には、レール部６側の一方の側部にディスク装着時においてトレイ３からディスクが一部はみ出す欠落部３ａが設けられている。
【００１１】
筐体２の開口部２ｃとは反対側となる後側部２ｄには第１コネクタ９０が設けられており、コンピュータなど他の電子機器とは第１コネクタ９０を通じて結線されることにより、データの伝達が行われる。さらに第１コネクタ９０は制御回路を構成する筐体側回路基板９上に設けられている。筐体側回路基板９は筐体２の底部２ｂにねじ止めもしくは係止によって固定されている。筐体側回路基板９とトレイ側回路基板４３（以下、単に回路基板４３、とする）はフレキシブルプリント基板（以下、ＦＰＣ）１０によって結線されている。ＦＰＣ１０は略Ｖ字形もしくは略Ｕ字形をしており、一部は筐体２の底部２ｂに接着されている。接着されている部分に近い端部が筐体側回路基板９にコネクタ９ｂを介して接続されている。ＦＰＣ１０の底部２ｂに接着されていない部分は折り返し部１０ａにて折り返されてトレイ側回路基板４３に接続されている。折り返し部１０ａはトレイ３の筐体２への収納や引き出しによって、トレイ３引き出し方向に移動する。トレイ３の収納時において折り返し部１０ａは筐体側回路基板９に最も近づくが、折り返し部１０ａと筐体側回路基板９の接触を回避する為に筐体側回路基板９には逃がし部９ｃが設けられている。
【００１２】
トレイ３は、ピックアップモジュール４のほかに、ソレノイドアクチュエータ１１１とＬＥＤ１１３とを有する。ソレノイドアクチュエータ１１１およびＬＥＤ１１３は、ベゼル１１の近傍に配置される。ソレノイドアクチュエータ１１１にはエジェクト釦１１２が連結されている。使用者がエジェクト釦１１２を押すことでソレノイドアクチュエータ１１１が作動し、トレイ３を引き出し可能な状態にする。ＬＥＤ１１３はいわゆるアクセスランプであり、ディスク駆動装置の起動時および作動時等に点滅する。
【００１３】
ピックアップモジュール４に関して詳述する。図２はモータ４１の背面図である。モータ４１は、回転中心軸を中心に回転する回転部と、トレイ３に取り付けられる静止部と、静止部に対して回転部を相対回転可能に支持する軸受部と、を備える。回転部は、有蓋円筒形状のロータホルダと、ロータホルダの円筒部内側に保持されるロータマグネットを備える。静止部は、取付板４２、取付板４２に固定されるブッシュおよび、ブッシュに支持され、ロータマグネットの径方向内側に配置されるステータを備える。モータは、いわゆるアウターロータ型のモータである。ロータホルダは直接的または間接的にディスクが載置されるディスク載置面を有する。ロータホルダの上側にはディスク装着部４ｂが配置される。
【００１４】
ステータは、環状のコアバック部およびコアバック部から径方向外側に向かって放射状に延びる複数のティースを有するステータコアと、各ティースに巻線が巻回されてなるコイルと、を有する。モータは３相モータである。ステータからは、Ｕ，Ｖ，Ｗ、コモンの各線が引き出される。各線は、回路基板４３に設けられたランド部に半田付けされる。ランド部は回路基板４３上に印刷された配線パターンによって第１コネクタ９０と接続されている。
【００１５】
静止部は、取付板４２に取り付けられる。取付板４２は、トレイ３の引き出し方向に傾斜して設けられピックアップと対向する第１の辺４１１と、トレイ３の引き出し方向に直交して設けられ筐体側回路基板に対向する第２の辺４１２と、レール部６と略平行に配置される第３の辺４１３と、を備える。第１の辺には円弧部４１４が形成される。
【００１６】
筐体側回路基板から回路基板４３に電源が供給される。回路基板４３からは、モータ４１（Ｕ，Ｖ，Ｗ、コモン）、スレッドモータ５１、光ピックアップ５、ソレノイドアクチュエータ１１１、およびＬＥＤ１１３に対して電源を供給する。回路基板４３から離れているスレッドモータ５１、光ピックアップ５、ソレノイドアクチュエータ１１１、およびＬＥＤ１１３のそれぞれに対しては、ＦＰＣまたはフレキシブル・フラット・ケーブル（以下、ＦＦＣ）を介して電源を供給する。
【００１７】
ここで、モータ４１は、前述の通り、Ｕ、Ｖ、Ｗ、コモンのそれぞれが、回路基板４３上に設けられたランド部に半田付けされることにより、接続される。
【００１８】
光ピックアップ５は、第２コネクタ９１によりＦＰＣ４３１（図示省略）を介して回路基板４３に接続されている。光ピックアップ５はディスクとの情報をやりとりするため、ピン数が多い。したがって、光ピックアップ５用の第２コネクタ９１は第２の辺４１２に沿って配置される。
【００１９】
スレッドモータ５１は、取付板４２の第１の辺４１１の延長線上と第３の辺４１３の延長線上との交点近傍に配置される。スレッドモータ５１は、スクリューシャフト５３を回転させる。スクリューシャフト５３が回転することにより、光ピックアップ５をガイドシャフト５２上において径方向に移動させることができる。スレッドモータ５１は、第３コネクタ９２によりＦＰＣ４３２を介して、回路基板４３と接続されている。ＦＰＣ４３２のスレッドモータ５１側の端部は、半田付けにて接続されている。ＦＰＣ４３２とスレッドモータ５１との半田付けは、スレッドモータ５１の側部（図示左下側）で行われる。したがって、スレッドモータ５１用の第３コネクタ９２は、回路基板４３における、第１の辺４１１の延長線上と第３の辺４１３の延長線上との交点近傍に配置される。
【００２０】
ソレノイドアクチュエータ１１１およびＬＥＤ１１３は、第３コネクタ９２を介して１つのＦＦＣ４３３にて回路基板４３と接続される。ＦＦＣ４３３のソレノイドアクチュエータ１１１およびＬＥＤ１１３側の端部は、半田付けにて接続されている。
【００２１】
一般にＦＰＣに関して、取り数を増やすために面積を小さくしたいという要望がある。したがって、ＦＰＣ４３２の回路基板４３に連結する部分は、ベゼル１１に近づけられることが望ましい。したがって、スレッドモータ５１用の第３コネクタ９２の近傍に配置することが望ましい。
【００２２】
本実施形態においては、スレッドモータ５１用のコネクタと、ソレノイドアクチュエータ１１１およびＬＥＤ用１１３のコネクタとが、単一の２口コネクタ（第３コネクタ９２）にて構成されている。スレッドモータ５１近傍には、取付板４２をトレイ３に固定する固定部やガイドシャフト５２、スクリューシャフト５３が配置されるため、回路基板４３の形状や実装できる電子部品のスペースに制約がある。例えば、スレッドモータ５１用のコネクタと、ソレノイドアクチュエータ１１１およびＬＥＤ１１３用のコネクタとを並列に並べようとした場合、各コネクタに「脚」があるため、コネクタが回路基板４３からはみ出してしまう。
【００２３】
また、配置によっては、スレッドモータ５１用のＦＰＣと、ソレノイドアクチュエータ１１１およびＬＥＤ１１３用のＦＰＣ４３２・ＦＦＣ４３３とが、干渉してしまうおそれがある。特に、本実施形態においては、省スペース化のために、スレッドモータ５１近傍において、ＦＰＣ４３２の表面をＦＦＣ４３３が覆うような構成となっている。このような構成であっても、第３コネクタ９２に２口コネクタを用いることにより、ＦＰＣ４３２とＦＦＣ４３３の回路基板４３側の位置が一様に決まる。そのため、ＦＰＣ４３２とＦＦＣ４３３の回路基板４３への接続を別々にする場合と比較して、干渉しづらい構成とすることができる。
【００２４】
なお、回路基板４３とＦＰＣ４３２、ＦＦＣ４３３とを半田付けにて接続することも可能だが、半田付けは工数がかかってしまう。また、半田付けであれば、容易に着脱ができない。したがって、半田付けが不十分であった場合やブリッジが発生してしまった場合、修正が困難である、といった不具合がある。
【００２５】
また、コネクタを用いることで組立順序の自由度が増すというメリットがある。すなわち、トレイ３側で完結するものと光ディスク駆動装置１全体で必要なものとがある。また、トレイ３の中でも先に組付ける部品と、後に組付ける部品とがある。この点、コネクタであれば、適宜ＦＰＣ、ＦＦＣを接続しながら組み立てることができるので、作業性に優れる。
【００２６】
また、本実施形態では、ＦＦＣ４３３を折り返して配置している。本実施形態においては、ＦＦＣ４３３を３箇所で折り返している。このようにＦＦＣ４３３を折り返すことで、ＦＦＣ４３３の形状を単純な形状とすることができ、かつ、所望の場所に引き回すことができる。
【００２７】
以上、本発明の例示的な実施形態について説明したが、本発明は上記の実施形態に限定されるものではない。本発明の趣旨に反しない範囲での変更が可能である。
【００２８】
例えば、上記実施形態では、回路基板４３と、ソレノイドアクチュエータ及びＬＥＤとを接続しているのはＦＦＣとしたが、ＦＰＣでもよい。回路基板４３のベゼル１１寄りに配置し、かつ、面積を少なくできる形状であればよい。
【００２９】
また、上記実施形態では、ＦＰＣ４３２の表面をＦＦＣ４３３が覆うとしたが、これに限られるものではない。ＦＦＣ４３３の表面をＦＰＣ４３２が覆う構成でもよい。
【００３０】
また、ＦＰＣおよびＦＦＣの配置を変更することも可能である。例えば、ＦＰＣおよびＦＦＣの幅を細くすることが出来た結果、図２において、取付板４２よりも図示左側にＦＰＣ４３２およびＦＦＣ４３３を配置することができる。その結果、取付板４２とＦＰＣ４３２、ＦＦＣ４３３が軸方向に重ならない。その結果、ＦＰＣ４３２、ＦＦＣ４３３を第３コネクタ９２へ容易に挿入することができ、作業性が向上する。
【産業上の利用可能性】
【００３１】
本発明は、モータ、特に、ディスク駆動装置用のモータとして用いられる。
【符号の説明】
【００３２】
１      光ディスク駆動装置
２      筐体
３      トレイ
４      ピックアップモジュール
５      光ピックアップ
１１    ベゼル
４１    モータ
４２    取付板
４３    回路基板
５１    スレッドモータ
５２    ガイドシャフト
５３    スクリューシャフト
９０    第１コネクタ
９１    第２コネクタ
９２    第３コネクタ（２口コネクタ）
１１１  ソレノイドアクチュエータ
１１３  ＬＥＤ
４１１  第１の辺
４１２  第２の辺
４１３  第３の辺
４３１、４３２  ＦＰＣ
４３３  ＦＦＣ
【図１】
2012249408.tif 000003
【図２】
2012249408.tif 000004